(57)【要約】【課題】リファレンス信号受信パワーを確定する方法、端末及びシステムを提供する。【解決手段】係る方法は、測定セル及び干渉セルにそれぞれ対応する２つの特定セルリファレンス信号を生成し；前記測定セルの少なくとも１つのリソースブロックの各々について、前記リソースブロック中の、リファレンス信号を有する各隣接リソースエレメント上の信号に対してチャネル推定を行い、各隣接リソースエレメントに対応するチャネル推定結果を取得し；各隣接リソースエレメントに対してペアリングを行い、少なくとも１つのリソースエレメントペアを取得し；前記少なくとも１つのリソースエレメントペアに対応するチャネル推定結果ペアに基づいて、前記リソースブロックのチャネル推定値を確定し、前記少なくとも１つのリソースブロックに対応する少なくとも１つのチャネル推定値の平均値を前記測定セルのチャネル推定値とし；及び、前記測定セルのチャネル推定値に基づいて、前記測定セルのリファレンス信号受信パワーを確定することを含む。【選択図】図４Ａ
2015065655.tif 000002
【特許請求の範囲】
【請求項１】
リファレンス信号受信パワーを確定するための方法であって、
２つの特定セルリファレンス信号を生成し、前記２つの特定セルリファレンス信号は、それぞれ、測定セル及び干渉セルに対するリファレンス信号であり；
前記測定セルの少なくとも１つのリソースブロックのうちの各リソースブロックについて、前記２つの特定セルリファレンス信号及び受信した信号に基づいて、前記リソースブロック中の、リファレンス信号を有する各隣接リソースエレメント上の信号に対してチャネル推定を行い、各隣接リソースエレメントに対応するチャネル推定結果を取得し；
リファレンス信号を有する各隣接リソースエレメントに対してペアリングを行い、少なくとも１つのリソースエレメントペアを取得し；
前記少なくとも１つのリソースエレメントペアに対応するチャネル推定結果ペアに基づいて、前記各リソースブロックのチャネル推定値を確定し、前記少なくとも１つのリソースブロックに対応する少なくとも１つのチャネル推定値の平均値を前記測定セルのチャネル推定値とし；及び
前記測定セルのチャネル推定値に基づいて前記測定セルのリファレンス信号受信パワーを確定することを含む、方法。
【請求項２】
請求項1に記載の方法であって、
前記リファレンス信号を有する隣接リソースエレメントに対してペアリングを行い、少なくとも１つのリソースエレメントペアを取得するステップは、
各隣接リソースエレメント上のリファレンス信号と、前記干渉セルのリファレンス信号との間の位相差を計算し；
各隣接リソースエレメントの位相差に基づいて、リファレンス信号を有する各隣接リソースエレメントに対して一対比較を行い、各ペアの隣接リソースエレメントの位相差の差を取得し；及び
前記位相差の差に基づいて、ベアとなる隣接リソースエレメントを確定する、ことを含む、方法。
【請求項３】
請求項2に記載の方法であって、
前記位相差の差が所定値以上であるリソースエレメントペアを、前記リソースエレメントペアとする、方法。
【請求項４】
請求項2に記載の方法であって、
１つのリソースブロックについて、複数の前記リソースエレメントペアを得た場合、複数の前記リソースエレメントペアに基づいて複数のチャネル推定値を確定し、複数の前記チャネル推定値の平均値を前記１つのリソースブロックに対応するチャネル推定値とする、方法。
【請求項５】
請求項2に記載の方法であって、
前記測定セルのリファレンス信号と、前記干渉セルのリファレンス信号との間の時間オフセット及び周波数オフセットに基づいて、前記各隣接リソースエレメント上のリファレンス信号と、前記干渉セルのリファレンス信号との間の位相差を修正する、方法。
【請求項６】
請求項5に記載の方法であって、次の式により各隣接リソースエレメント上のリファレンス信号と、前記干渉セルのリファレンス信号との間の位相差を確定し、
【数１】
2015065655.tif 000026
そのうち、lはOFDMシンボルであり、iはサブキャリアシンボルであり、θ(l,i)は、前記位相差であり、x1(l,i)は、前記干渉セルのリファレンス信号であり、x0(l,i)は、前記測定セルのリファレンス信号であり、fsは、サンプリングレートであり、Δfは、周波数オフセット値であり、Δtは、時間オフセット値であり、NFFTは、フーリエ変換データ量の大小であり、ΔTは、２つの隣接リソースエレメント上のリファレンス信号の間の時間差であり、phase{}は、位相関数である、方法。
【請求項７】
請求項2に記載の方法であって、
前記各隣接リソースエレメントから、リソースエレメントペアを取得することができない場合、隣接リソースブロック上のチャネル推定値を加重処理した後の結果を現在のリソースブロックに対応するチャネル推定値とする、方法。
【請求項８】
請求項1に記載の方法であって、
Zero  Forcing  Algorithmを採用して次の式により前記測定セルの各隣接リソースエレメント上のリファレンス信号に対してチャネル推定を行い、
【数２】
2015065655.tif 000027
そのうち、r(l,i)は、前記受信した信号であり、x0(l,i)は、前記測定セルのリファレンス信号であり、x1(l,i)は、前記干渉セルのリファレンス信号であり、n(l,i)は、ノイズであり、lは、OFDMシンボルであり、iは、サブキャリアシンボルであり、h0(l,i)は、前記測定セルのチャネルレスポンスであり、h1(l,i)は、前記干渉セルのチャネルレスポンスである、方法。
【請求項９】
請求項1ないし8の中の任意の１項に記載の方法であって、
前記測定セルに干渉を与えるセルの数が２以上である場合、これらのセルから、１つのパワー最大のセルのリファレンス信号を前記干渉セルのリファレンス信号として選択することを更に含む、方法。
【請求項１０】
端末であって、
２つの特定セルリファレンス信号を生成するリファレンス信号生成ユニットであって、前記２つの特定セルリファレンス信号は、それぞれ、測定セル及び干渉セルに対応するリファレンス信号である、リファレンス信号生成ユニット；
前記測定セルの少なくとも１つのリソースブロックのうちの各リソースブロックについて、前記２つの特定セルリファレンス信号及び受信した信号に基づいて、前記リソースブロック中の、リファレンス信号を有する各隣接リソースエレメント上の信号に対してチャネル推定を行い、各隣接リソースエレメントに対応するチャネル推定結果を所得する第一チャネル推定ユニット；
リファレンス信号を有する各隣接リソースエレメントに対してペアリングを行い、少なくとも１つのリソースエレメントペアを取得するペアイングユニット；
前記少なくとも１つのリソースエレメントペアに対応するチャネル推定結果ペアに基づいて、前記各リソースブロックのチャネル推定値を確定し、前記少なくとも１つのリソースブロックに対応する少なくとも１つのチャネル推定値の平均値を前記測定セルのチャネル推定値とする第二チャネル推定ユニット；及び
前記測定セルのチャネル推定値に基づいて、前記測定セルのリファレンス信号受信パワーを確定するパワー確定ユニットを含む、端末。
【請求項１１】
請求項10に記載の端末であって、
前記ペアイングユニットは、
各隣接リソースエレメント上のリファレンス信号と、前記干渉セルのリファレンス信号との間の位相差を計算する位相差計算サブユニット；
各隣接リソースエレメントの位相差に基づいて、リファレンス信号を有する各隣接リソースエレメントに対して一対比較を行い、各ペアの隣接リソースエレメントの位相差の差を取得する差値計算サブユニット；及び
前記位相差の差に基づいて、ペアとなる隣接リソースエレメントを確定するペアリングサブユニットを含む、端末。
【請求項１２】
請求項11に記載の端末であって、
前記ペアイングユニットは、前記位相差の差が所定値以上であるリソースエレメントペアを前記リソースエレメントペアとする、端末。
【請求項１３】
請求項11に記載の端末であって、
前記第二チャネル推定ユニットは更に、１つのリソースブロックについて、複数の前記リソースエレメントペアを得た時に、複数の前記リソースエレメントペアに基づいて、複数のチャネル推定値を確定し、複数の前記チャネル推定値の平均値を前記１つのリソースブロックに対応するチャネル推定値とするために用いられる、端末。
【請求項１４】
請求項11に記載の端末であって、
前記位相差計算サブユニットは更に、前記測定セルのリファレンス信号と、前記干渉セルのリファレンス信号との間の時間オフセット及び周波数オフセットに基づいて、各隣接リソースエレメント上のリファレンス信号と、前記干渉セルのリファレンス信号との間の位相差を修正するために用いられる、端末。
【請求項１５】
請求項14に記載の端末であって、
前記位相差計算サブユニットは、次の式により各隣接リソースエレメント上のリファレンス信号と、前記干渉セルのリファレンス信号との間の位相差を確定し、
【数３】
2015065655.tif 000028
そのうち、lはOFDMシンボルであり、iはサブキャリアシンボルであり、θ(l,i)は、前記位相差であり、x1(l,i)は、前記干渉セルのリファレンス信号であり、x0(l,i)は、前記測定セルのリファレンス信号であり、fsは、サンプリングレートであり、Δfは、周波数オフセット値であり、Δtは、時間オフセット値であり、NFFTは、フーリエ変換データ量の大小であり、ΔTは、２つの隣接リソースエレメント上のリファレンス信号の間の時間差であり、phase{}は、位相関数である、端末。
【請求項１６】
請求項11に記載の端末であって、
前記第二チャネル推定ユニットは更に、各隣接リソースエレメントから、リソースエレメントペアを取得することができない時に、隣接リソースブロック上のチャネル推定値を加重処理した後の結果を現在のリソースブロックに対応するチャネル推定値とするために用いられる、端末。
【請求項１７】
請求項10に記載の端末であって、
前記第一チャネル推定ユニットは、Zero  Forcing  Algorithmを採用して次の式により前記測定セルの各隣接リソースエレメント上のリファレンス信号にたしてチャネル推定を行い、
【数４】
2015065655.tif 000029
そのうち、r(l,i)は、前記受信した信号であり、x0(l,i)は、前記測定セルのリファレンス信号であり、x1(l,i)は、前記干渉セルのリファレンス信号であり、n(l,i)は、ノイズであり、lは、OFDMシンボルであり、iは、サブキャリアシンボルであり、h0(l,i)は、前記測定セルのチャネルレスポンスであり、h1(l,i)は、前記干渉セルのチャネルレスポンスである、端末。
【請求項１８】
請求項10ないし17の中任意の１項に記載の端末であって、
前記リファレンス信号生成ユニットは更に、前記測定セルに干渉を与えるセルの数が２以上である時に、これらのセルから、１つのパワー最大のセルのリファレンス信号を前記干渉セルのリファレンス信号とするために用いられる、端末。
【請求項１９】
基地局及び請求項10ないし18の中の任意の１項に記載の端末を含む、システム。
【発明の詳細な説明】
【技術分野】
【０００１】
本発明は、通信技術分野に関し、特に、リファレンス信号受信パワーを確定するための方法、端末及びシステムに関する。
【背景技術】
【０００２】
LTEシステム又はLTE-Aシステムでは、端末が、UTRAN（Universal  Terrestrial  Radio  Access  Network）により提供されている測定構成情報に基づいて、測定情報（RSRP（Reference  Signal  Receiving  Power）又はRSRQ（Reference  Signal  Receiving  Quality））を基地局に報告する。LTEシステムでは、一般的なRSRP測定は、通常、測定バンド幅中のセル特定リファレンス信号を用いてセルのリファレンス信号受信パワーを確定する。
【０００３】
図1に示すのは、一般的なRSRP測定方法である。受信した信号が
【数１】
2015065655.tif 000003
であるとする。ここでは、r(l,i)は、受信した周波数領域上のセル特定リファレンス信号のシンボルであり、x(l,i)は、周波数領域がiであり且つ時間領域がlであるセル特定リファレンス信号のローカルコピー（l=0，1；0＜i＜2NRB；NRBは、周波数方向上のリソースブロック数である）であり、h(l,i)は、測定セルのチャネルレスポンスである。
【０００４】
1）測定セルのチャネル推定：
【数２】
2015065655.tif 000004
2）パワーの計算：
【数３】
2015065655.tif 000005
3）RSRP（リファレンス信号受信パワー）の計算：RSRP=10×log10(P)。
【０００５】
LTE  Rel.10及びRel.11では、異質ネットワークが、ロードフローのクローズ及びセル範囲の拡大のような問題を解決するために幅広く用いられている。3GPP  Rel-11のeICIC（FeICICと称される）では、強干渉セルの特定リファレンス信号と、強干渉を受けたセルの特定リファレンス信号とが一致せず、ABSサブフレーム測定の測定セルの特定セルリファレンス信号の信号対干渉ノイズ比が-9.4dBである。よって、強干渉を受けたセルの特定セルリファレンス信号の受信パワーを正確に測定するために、RSRP測定方法に基づくCRSIC（共通リファレンス信号干渉除去）が提案されている。
【０００６】
図２に示すのは、RSRP測定方法に基づく基本的なCRSIC測定である。受信した信号が、
【数４】
2015065655.tif 000006
であるとする。ここでは、r(l,i)は、受信した周波数領域上のセル特定リファレンス信号のシンボルであり、x0(l,i)及びx1(l,i)は、それぞれ、周波数領域がiであり且つ時間領域がlである測定セル及び強干渉セルのセル特定リファレンス信号のローカルコピー（l=0，1；0＜i＜2NRB；NRBは、周波数方向上のリソースブロック数である）であり、h0(l,i)及びh1(l,i)は、それぞれ、測定セル及び強干渉セルのチャネルレスポンスである。
【０００７】
1）強干渉セルのチャネル推定：
【数５】
2015065655.tif 000007
そのうち、w(l,i)は、フィルターである。
2）強干渉セルの信号の生成：
【数６】
2015065655.tif 000008
3）強干渉セルの信号の除去：
【数７】
2015065655.tif 000009
4）測定セルのチャネル推定：
【数８】
2015065655.tif 000010
5）パワーの計算：
【数９】
2015065655.tif 000011
6）リファレンス信号の受信パワーの計算：RSRP=10×log10(P)。
【０００８】
一般的なリファレンス信号の受信パワーの測定方法については、異質ネットワーク中の強干渉セルの高パワー干渉を受けるので、FeICICでは、リファレンス信号受信パワーの測定精度が低い。また、干渉除去の方法については、強干渉セルのチャネル推定及び関連する除去ステップを増やしたため、計算複雑度が増加してしまう。
【０００９】
今のところ、リファレンス信号受信パワー測定方法に存在する上述のような問題を解決することができる従来技術はまだない。
【発明の概要】
【発明が解決しようとする課題】
【００１０】
本発明の目的は、上述のような問題に鑑み、測定セルの測定精度を向上させることができるだけでなく、計算複雑度を低減することもできる新しいリファレンス信号受信パワーの確定技術を提供することにある。
【課題を解決するための手段】
【００１１】
本発明の一側面によれば、リファレンス信号受信パワーを確定するための方法が提供され、該方法は、
２つの特定セルリファレンス信号を生成し、前記２つの特定セルリファレンス信号は、それぞれ、測定セル及び干渉セルに対応するリファレンス信号であり；
前記測定セルの少なくとも１つのリソースブロックのうちの各リソースブロックについて、前記２つの特定セルリファレンス信号及び受信した信号に基づいて、前記リソースブロック中の、リファレンス信号を有する各隣接リソースエレメント上の信号に対してチャネル推定を行い、各リソースエレメントに対応するチャネル推定結果を取得し；
リファレンス信号を有する各隣接リソースエレメントに対してペアイング（pairing）を行い、ペアイングされた少なくとも１つのリソースエレメントペアを取得し；
前記少なくとも１つのリソースエレメントペアに対応するチャネル推定結果ペアに基づいて、前記各リソースブロックのチャネル推定値を確定し、前記少なくとも１つのリソースブロックに対応する少なくとも１つのチャネル推定値の平均値を前記測定セルのチャネル推定値とし；及び
前記測定セルのチャネル推定値に基づいて、前記測定セルのリファレンス信号受信パワーを確定することを含む。
【００１２】
本発明の技術案によれば、測定セルのリファレンス信号及び強干渉セルのリファレンス信号に基づいてチャネル推定を行い、また、リソースエレメントのペアイングを行うことにより、強干渉セルの影響を有効に除去し、弱セルの測定精度を向上させることができる。
【図面の簡単な説明】
【００１３】
【図１】従来技術中のRSRP測定方法を示す図である。
【図２】従来技術中のCRSIC測定方法を示す図である。
【図３】従来技術中のLTEシステムのバンド幅リソースの対応関係を示す図である。
【図４Ａ】本発明の一実施例に係るリファレンス信号受信パワーを受信するための方法のフローチャートである。
【図４Ｂ】バンド幅リソース中のリファレンス信号を有する隣接リソースエレメントを示す図である。
【図５】本発明の他の実施例に係るリファレンス信号受信パワーを受信するための方法のフローチャートである。
【図６】本発明の一実施例に係る端末のブロック図である。
【図７】本発明の一実施例に係るシステムのブロック図である。
【発明を実施するための形態】
【００１４】
以下、添付した図面を参照しながら本発明を実施するための形態を詳細に説明する。
【００１５】
本発明のリファレンス信号受信パワーを確定するための方法を説明する前に、先ず、図3に基づいて、LTEシステム中のバンド幅リソースについて簡単に紹介する。
【００１６】
図3に示すように、LTEシステムでは、１つの無線フレームは、10msであり、サブフレームインデックスが0ないし9である10個のサブフレームを含み、各サブフレームは1msであり、また、1つのサブフレームは2つのタイムスロットに分かられる。正常なcpモードであれば、各タイムスロットは、シンボルインデックスがl=0ないしl=6の7個のOFDM（Orthogonal  Frequency  Division  Multiplexing）シンボルを有する。システムでは、リソースブロックRBを割り当てることで、リソースの割り当てを行い、異なるバンド幅に対応して割り当てられたRB数が異なる。通常の場合、1RBは、時間上で、１つのタイムスロットが占用する時間領域リソースを含み、周波数上で、通常、12個のサブキャリアが占用するリソースを含み、１つのOFDMシンボル上の１つのサブキャリアが占用するリソースは、リソースエレメントRE（Resource  Element）と称される。
【００１７】
本発明の実施例では、測定セルの特定リファレンス信号及び干渉セルの特定リファレンス信号の情報をジョイントする（組み合わせる）ことで、測定セルのチャネル推定を容易に実現することができる。なお、一般の場合、測定セルに干渉を与える干渉セルが複数ある時に、複数の干渉セルからパワーが比較的強いセルの特定リファレンス信号を、測定セルのリファレンス信号受信パワーを計算するための干渉セルの特定リファレンス信号として選択し、もちろん、１つの干渉セルを任意に選択してもよい。
【００１８】
図4Aは、本発明の一実施例に係るリファレンス信号受信パワーを確定する方法のフローチャートである。
【００１９】
本実施例に係るリファレンス信号受信パワーを確定するための方法は、次のステップを含んでもよい。
【００２０】
ステップ410：２つの特定セルリファレンス信号を生成し、該２つの特定セルリファレンス信号は、それぞれ、測定セル及び干渉セルに対応するリファレンス信号であり；
ステップ412：測定セルの少なくとも１つのリソースブロックのうちの各リソースブロックについて、上述の２つの特定セルリファレンス信号及び受信した信号に基づいて、該リソースブロック中の、リファレンス信号を有する各隣接リソースエレメント上の信号に対してチャネル推定を行い、各リソースエレメントに対応するチャネル推定結果を取得し；
ステップ414：リファレンス信号を有する各隣接リソースエレメントに対してペアリングを行い、ペアリングされた少なくとも１つのリソースエレメントペアを取得し；少なくとも１つのリソースエレメントペアに対応するチャネル推定結果ペアに基づいて、各リソースブロックのチャネル推定値を確定し、少なくとも１つのリソースブロックに対応する少なくとも１つのチャネル推定値の平均値を測定セルのチャネル推定値とし；
ステップ416：測定セルのチャネル推定値に基づいて、測定セルのリファレンス信号受信パワーを確定する。
【００２１】
ステップ414では、リファレンス信号を有する各隣接リソースエレメントに対してペアリングを行い、ペアイングされた少なくとも１つのリソースエレメントペアを取得するステップは、次のステップを含む。
【００２２】
各隣接リソースエレメント上のリファレンス信号と、干渉セルのリファレンス信号との間の位相差を計算し；
各隣接リソースエレメントの位相差に基づいて、リファレンス信号を有する各隣接リソースエレメントに対して一対比較（pairwise  comparison）を行い、各ペアの隣接リソースエレメントの位相差の差を取得し；
前記位相差の差が所定値以上であるリソースエレメントペアを、前記ペアリングされたリソースエレメントペアとする。
【００２３】
図4Bに示すように、A1、A2、B1、B2が、それぞれ、１つのリソースブロック中の、リファレンス信号を有する隣接リソースエレメントであるとし、これらのリソースエレメントに対してペアリングを行う。この前に、各隣接リソースエレメント上のリファレンス信号と、干渉セルのリファレンス信号との間の位相差を計算する必要があり、隣接リソースエレメントA1、A2、B1、B2のうち、この４つの隣接エレメント上のリファレンス信号と、干渉セルのリファレンス信号との間の位相差を計算する必要があり、計算により得られたA1、A2、B1、B2にそれぞれ対応する位相差は、それぞれ、Q1、Q2、Q3及びQ4である。
【００２４】
次に、各隣接リソースエレメントについて、それにマッチングした（即ち、それとペアになる）隣接リソースエレメントを見つける（ルックアップする）。ルックアップ過程では、２つの隣接リソースエレメントに対応する位相差の間の差（即ち、位相差の差）を一対（pairwise）計算する必要があり、例えば、選定されたリソースエレメントA1については、A1と、他の３つの隣接リソースエレメントのそれぞれとの対応する位相差の間の差を計算する必要があり、即ち、Q1と、Q2、Q3及びQ4のそれぞれとの差を計算し、そして、これらの差に基づいて、A1とペアになる隣接リソースエレメントを確定する。
【００２５】
具体的に、位相差の差が所定値以上である時に、選定されたリソースエレメントと、それ相応の他の隣接リソースエレメントとをリソースエレメントペアとする。そのうち、該所定値は、180度、90度、80度、70度、90度ないし80度の間の任意値、又は、80度ないし70度の間の任意値であってもよく、Q1とQ2と間の差が所定値以上であれば、A1とA2とがペアになれることを意味する。
【００２６】
測定セルのリファレンス信号と、干渉セルのリファレンス信号との間の時間オフセット及び周波数オフセットを考慮すれば、この２つのパラメターを用いて各隣接リソースエレメント上のリファレンス信号と、干渉セルのリファレンス信号との間の位相差を修正し、計算された位相差の正確性を保証する必要がある。
【００２７】
修正時に、次の位相計算式により、各隣接リソースエレメント上のリファレンス信号と、干渉セルのリファレンス信号との間の位相差を確定する。
【数１０】
2015065655.tif 000012
【００２８】
そのうち、lはOFDMシンボルであり、iはサブキャリアシンボルであり、θ(l,i)は、位相差であり、x1(l,i)は、干渉セルのリファレンス信号であり、x0(l,i)は、測定セルのリファレンス信号であり、fsは、サンプリングレート（率）であり、Δfは、周波数オフセット値であり、Δtは、時間オフセット値であり、NFFTは、フーリエ変換データ量の大小であり、ΔTは、選定されたリソースエレメント（例えば、A1）と、他の隣接リソースエレメント（例えば、A2、B1、B2のうちの任意の１つ）とのリファレンス信号の間の時間差であり、phase{}は、位相関数である。
【００２９】
１つのリソースブロックについて、それにマッチングした複数のリソースエレメントペアを得ていれば、複数のリソースエレメントペアに基づいて複数のチャネル推定値を確定し、複数のチャネル推定値の平均値を、１つのリソースブロックに対応するチャネル推定値とする。
【００３０】
例えば、上述の例の場合、１つのリソースブロックにおいて、A1とA2とがマッチングし、B1とB2とがマッチングしていれば、即ち、２つのペアを見つけていれば、１つのペアに基づいて、該リソースブロックのチャネル推定値を計算し得るため、２つのペアに基づいて、該リソースブロックの２つのチャネル推定値を計算することができる。この場合、この２つのチャネル推定値の平均値W1を、現在のリソースブロックのチャネル推定値としてもよく、又は、この２つのチャネル推定値のうちの最大値を、現在のリソースブロックのチャネル推定値としてもよい。
【００３１】
このように、50個のリソースブロックを選択すれば、50個のチャネル推定値を計算することができるため、この50個のチャネル推定値の平均値を、測定セルのチャネル推定値とし、最終のチャネル推定値に基づいて、測定セルのリファレンス信号受信パワーを確定することができる。
【００３２】
該現在のリソースブロック中の隣接リソースエレメントから、マッチングしたリソースエレメントペアを見つけられなかった場合、隣接リソースブロック上のチャネル推定値を加重処理した後の結果（値）を、現在のリソースブロックに対応するチャネル推定値とし、即ち、A1、A2、B1、B2から、リソースエレメントペアを見つけられなかった場合、該現在のリソースエレメントブロックの前の一つのリソースブロック又は後の一つのリソースブロックのチャネル推定値を、該現在のリソースブロックのチャネル推定値とする。
【００３３】
以下、本発明のリファレンス信号受信パワーを確定するための方法により、測定セルに対してチャネル推定を行う時に、如何に、干渉セルによる影響の除去を実現し得るかについて詳しく説明する。
【００３４】
上述のステップ404では、Zero  Forcing  Algorithmを採用して次の式により測定セルの各隣接リソースエレメント上のリファレンス信号に対してチャネル推定を行う。
【数１１】
2015065655.tif 000013
【００３５】
そのうち、r(l,i)は、受信した信号であり、x0(l,i)は、測定セルのリファレンス信号であり、x1(l,i)は、干渉セルのリファレンス信号であり、n(l,i)は、ノイズであり、lは、OFDMシンボルであり、iは、サブキャリアシンボルであり、h0(l,i)は、測定セルのチャネルレスポンスであり、h1(l,i)は、干渉セルのチャネルレスポンスである。
【００３６】
即ち、各隣接エレメントは、対応するチャネル推定結果、即ち、
【数１２】
2015065655.tif 000014
を有する。
【００３７】
上述したように、１つのリソースブロックにおいてリソースエレメントペアを見つけた場合、ペアリングされたリソースエレメントペアがA1及びA2であり、且つ、位相差の間の差が180度であるとすると、A1に対応するチャネル推定結果は、
【数１３】
2015065655.tif 000015
であり、A2に対応するチャネル推定結果は、
【数１４】
2015065655.tif 000016
である。式（1）と式（2）との和を求め、
（外１）
2015065655.tif 000017
の未知項（
（外２）
2015065655.tif 000018
は、既知項であり、
（外３）
2015065655.tif 000019
は、常数である。）を除去すれば、即ち、干渉セルの測定セルへの影響を除去すれば、測定セルのチャネルレスポンスh0を迅速に取得することができ、これにより、測定セルの測定精度を向上させることができ、言い換えると、干渉セルのチャネル推定レスポンスh1を計算する必要がないので、計算複雑度を大幅に低減することができるだけでなく、測定セルのチャネル推定の正確度を大幅に向上させることもできる。
【００３８】
次に、図5に基づいて、本発明の他の実施例に係るリファレンス信号受信パワーを確定する方法を説明する。
【００３９】
本実施例では、測定セルの特定リファレンス信号及び強干渉セルの特定リファレンス信号の情報をジョイントすることで、測定セルのチャネル推定を容易に実現することができる。
【００４０】
端末が受信した信号が
【数１５】
2015065655.tif 000020
であるとする。ここでは、r(l,i)は、受信した特定リファレンス信号であり、x0(l,i)、x1(l,i)は、それぞれ、測定セル及び強干渉セルの特定リファレンス信号のローカルコピーであり、h0(l,i)及びh1(l,i)は、それぞれ、測定セル及び強干渉セルのチャネルレスポンスである。
【００４１】
ステップ502：特定リファレンス信号を生成する。
【００４２】
セルID情報、タイムスロットシンボル情報及びABSモード情報に基づいて、特定リファレンス信号のローカルコピーx0(l,i)、x1(l,i)を生成することができる。
【００４３】
ステップ504：測定セルのリファレンス信号を有するリソースエレメントに対してZFチャネル推定を行う。
【００４４】
測定セルのZFチャネルレスポンス推定は、hZF(l,i)であり、iは、リファレンス信号のキャリアシンボルであり、lは、リファレンス信号のOFDMシンボルである。
【００４５】
ステップ506：ペアの位相差の間の差を計算する。
【００４６】
強干渉セル及び測定セルの特定リファレンス信号のコピーは、それぞれ、x0(l,i)、x1(l,i)である。干渉セルの２つの特定リファレンス信号の間の時間オフセット及び周波数オフセットを考慮すれば、２つのセルの間において特定リファレンス信号が占める周波数リソースの間の位相差は、次のように定義され得る。
【数１６】
2015065655.tif 000021
【００４７】
そのうち、Δtは、２つのセルの間の時間オフセットであり、Nfftは、高速フーリエ変換(FFT)アルゴリズムであり、128点を以て高速フーリエ変換を行うことができ、l（0又は1）は、特定リファレンス信号が占めるタイムスロットであり、ΔTは、２つの隣接リソースエレメント上の特定リファレンスリファレンス信号の間の時間間隔であり、Δfは、２つのセルの間の周波数オフセットであり、fsは、サンプリングレート（例えば、1.92MHz）であり、*は、共役演算である。
【００４８】
現在のリソースブロック中にリファレンス信号を有する4つのリソースエレメントがあるとすれば、各ペアの間の位相差は、それぞれ、次のように定義され得る。
【数１７】
2015065655.tif 000022
【００４９】
上述のペアの中では、θ(0,i)は、測定セルの１つのリソースブロック上の4つの隣接リソースエレメント中の１つのリソースエレメント上のリファレンス信号と、強干渉セルのリファレンス信号との間の位相差であり、他は、これに基づいて類推することができる。
【００５０】
ステップ508：選択されたチャネル推定結果ペアとの組み合わせを行い、測定セルのチャネルレスポンス推定を行う。
【００５１】
上述の位相差の間の差が所定値、例えば、90度以上である（即ち、位相差が180度に近いリソースエレメントペアを見つけた）時に、該リソースエレメントペアを、選択されたリソースエレメントペアとし、これらの選択されたリソースエレメントペアを用いて、測定セルに対してのチャネル推定を実現し、各リソースブロックについて１つの測定セルのチャネル推定値を取得する。
【００５２】
現在のリソースブロックにマッチングしたペアがなければ、隣接チャネル推定用の特殊な処理プロセスを行い、即ち、隣接リソースブロックのチャネル推定値を、現在のリソースブロックのチャネル推定値とする。リソースブロックが100ブロックであるとすれば、それ相応のチャネル推定値は100個あり、この場合、該100個のチャネル推定値を、測定セルの最終チャネル推定値とする。理解すべきは、選択されたリソースブロックの数が多いほど、測定セルのチャネル推定の正確度が高いとのことである。
【００５３】
ステップ510：式
【数１８】
2015065655.tif 000023
に基づいてパワーを計算する。
【００５４】
ステップ512：最後に、リファレンス信号の受信パワーを計算し、即ち、RSRP=10×log10(P)。
【００５５】
測定セル及び干渉セルの信号を組み合わせることで、測定セルのチャネルレスポンスを取得し、チャネルレスポンスの計算過程において、マッチングしたリソースエレメントペアを見つけ、そして、ペアリングされたリソースエレメントペアの１対のチャネル推定結果に基づいて、干渉セルの影響を除去するため、干渉セルのチャネル推定を行わずに測定セルのチャネルレスポンスを直接得ることができるので、計算複雑度を低減することができ、また、強干渉セルのチャネル推定及び強干渉セルの影響除去ステップに一定の誤差があるため、本発明の実施例に係る測定方法により、測定セルのチャネル推定精度をより一層向上させることができる。
【００５６】
図5に示す実行ステップに対応する端末の構成は、図6に示されている。
【００５７】
図6に示すように、本発明の実施例に係る端末600は、リファレンス信号生成ユニット602、第一チャネル推定ユニット604、ペアイングユニット606、第二チャネル推定ユニット608及びパワー確定ユニット610を含む。そのうち、リファレンス信号生成ユニット602は、２つの特定セルリファレンス信号を生成するために用いられ、２つの特定セルリファレンス信号は、それぞれ、測定セル及び干渉セルに対応するリファレンス信号であり；第一チャネル推定ユニット604は、少なくとも１つのリソースブロックのうちの各リソースブロックについて、２つの特定セルリファレンス信号及び受信した信号に基づいて、測定セルのリファレンス信号を有する各リソースエレメント上の信号に対してチャネル推定を行い、各リソースエレメントに対応するチャネル推定結果を得るために用いられ；ペアイングユニット606は、リファレンス信号を有する隣接リソースエレメントに対してペアリングを行い、少なくとも１つのリソースエレメントペアを得るために用いられ；第二チャネル推定ユニット608は、少なくとも１つのリソースエレメントペアに対応するチャネル推定結果ペアに基づいて、各リソースブロックのチャネル推定値を確定し、少なくとも１つのリソースブロックに対応する少なくとも１つのチャネル推定値の平均値を測定セルのチャネル推定値とするために用いられ；パワー確定ユニット610は、測定セルのチャネル推定値に基づいて、測定セルのリファレンス信号受信パワーを確定するために用いられる。
【００５８】
そのうち、第一チャネル推定ユニット604は、Zero  Forcing  Algorithmを採用して次の式により、測定セルの各隣接リソースエレメント上のリファレンス信号に対してチャネル推定を行う。
【数１９】
2015065655.tif 000024
【００５９】
そのうち、r(l,i)は、受信した信号であり、x0(l,i)は、測定セルのリファレンス信号であり、x1(l,i)は、干渉セルのリファレンス信号であり、n(l,i)は、ノイズであり、lは、OFDMシンボルであり、iは、サブキャリアシンボルであり、h0(l,i)は、測定セルのチャネルレスポンスであり、h1(l,i)は、干渉セルのチャネルレスポンスである。
【００６０】
また、ペアイングユニット606は、次のサブユニットを含んでもよい。
【００６１】
位相差計算サブユニット6062：各隣接リソースエレメント上のリファレンス信号と、干渉セルのリファレンス信号との間の位相差を計算するために用いられ；
差値計算サブユニット6064：リファレンス信号を有する隣接リソースエレメントのうちの１つの選定されたリソースエレメントについて、選定されたリソースエレメントの対応する位相差と、他の各隣接リソースエレメントの対応する位相差との間の差を計算するために用いられ；
ペアリングサブユニット6066：計算された位相差の差に基づいて、選定されたリソースエレメントとペアになる隣接リソースエレメントを確定するために用いられる。具体的に、ペアイングユニット606は、該差が所定値以上である時に、選定されたリソースエレメントと、それ相応の他の隣接リソースエレメントとをリソースエレメントペアとする。
【００６２】
位相差計算サブユニット6062は更に、測定セルのリファレンス信号と、干渉セルのリファレンス信号との間の時間オフセット及び周波数オフセットに基づいて、各隣接リソースエレメント上のリファレンス信号と、干渉セルのリファレンス信号との間の位相差を修正するために用いられる。
【００６３】
そのうち、位相差計算サブユニット6062は、次の位相計算式に基づいて、各リソースエレメント上のリファレンス信号と、干渉セルのリファレンス信号との間の位相差を確定する。
【数２０】
2015065655.tif 000025
【００６４】
そのうち、lはOFDMシンボルであり、iはサブキャリアシンボルであり、θ(l,i)は、位相差であり、x1(l,i)は、干渉セルのリファレンス信号であり、x0(l,i)は、測定セルのリファレンス信号であり、fsは、サンプリングレートであり、Δfは、周波数オフセット値であり、Δtは、時間オフセット値であり、NFFTは、フーリエ変換データ量の大小であり、ΔTは、選定されたリソースエレメント上のリファレンス信号と、他の隣接リソースエレメント上のリファレンス信号との間の時間差であり、phase{}は、位相関数である。
【００６５】
第二チャネル推定ユニット608は更に、１つのリソースブロックについて、マッチングした複数のリソースエレメントペアを得た時に、複数のリソースエレメントペアに基づいて、複数のチャネル推定値を確定し、複数のチャネル推定値の平均値を、１つのリソースブロックに対応するチャネル推定値とするために用いられる。
【００６６】
第二チャネル推定ユニット608は更に、他の隣接リソースエレメントから、選定されたリソースエレメントとマッチングしたリソースエレメントを発見しなかった時に、隣接リソースブロック上のチャネル推定値を加重処理した後の結果を、現在のリソースブロックに対応するチャネル推定値とするために用いられる。
【００６７】
リファレンス信号生成ユニット602は更に、測定セルに干渉を与えるセル数が２以上の時に、これらの干渉セルから、１つのパワー最大のセルのリファレンス信号を前記干渉セルのリファレンス信号とするために用いられる。もちろん、そのうちの１つのセルのリファレンス信号を任意に選択して干渉セルのリファレンス信号としてもよい。
【００６８】
図7は、本発明の一実施例に係るシステムのブロック図である。
【００６９】
図7に示すように、本発明は更にシステム700を提供し、それは、基地局702及び図6に示す端末600を含む。
【００７０】
また、本発明は更にコンピュータ可読プログラム（図示せず）を提供し、そのうち、基地局において前記プログラムを実行する時に、前記プログラムは、コンピュータに、前記基地局において、上述のリファレンス信号受信パワーを確定するための方法を実行させる。
【００７１】
本発明は更にコンピュータ可読プログラムを記憶した記憶媒体（図示せず）を提供し、そのうち、前記コンピュータ可読プログラムは、コンピュータに、端末において、上述のリファレンス信号受信パワーを確定するための方法を実行させる。
【００７２】
具体的に、上述のコンピュータ可読プログラムは、基地局又は端末において実行される時に、コンピュータに、基地局又は端末において、「２つの特定セルリファレンス信号を生成し、前記２つの特定セルリファレンス信号は、それぞれ、測定セル及び干渉セルに対応するリファレンス信号であり；前記測定セルの少なくとも１つのリソースブロックのうちの各リソースブロックについて、前記２つの特定セルリファレンス信号及び受信した信号に基づいて、前記リソースブロック中の、リファレンス信号を有する各隣接リソースエレメント上の信号に対してチャネル推定を行い、前記各リソースエレメントに対応するチャネル推定結果を取得し；リファレンス信号を有する各隣接リソースエレメントに対してペアイング（pairing）を行い、ペアイングされた少なくとも１つのリソースエレメントペアを取得し；前記少なくとも１つのリソースエレメントペアに対応するチャネル推定結果ペアに基づいて、前記各リソースブロックのチャネル推定値を確定し、前記少なくとも１つのリソースブロックに対応する少なくとも１つのチャネル推定値の平均値を前記測定セルのチャネル推定値とし；及び前記測定セルのチャネル推定値に基づいて、前記測定セルのリファレンス信号受信パワーを確定する」ことを含む、リファレンス信号受信パワーを確定するための方法を実行させる。
【００７３】
本発明は、測定セル及び干渉セルの信号に基づいて、測定セルのチャネルレスポンスを取得し、また、チャネルレスポンスの計算過程において、マッチングしたリソースエレメントペアを見つけ、そして、ペアイングされたリソースエレメントペアの１対のチャネル推定結果に基づいて、干渉セルの影響を除去するため、干渉セルのチャネル推定を行わずに測定セルのチャネルレスポンスを直接取得することができるので、計算複雑度を低減することができ、また、強干渉セルのチャネル推定及び強干渉セルの影響除去ステップに一定の誤差があるため、本発明の実施例に係る測定方法により、測定セルのチャネル推定精度をより一層向上させることができる。
【００７４】
以上、本発明の好ましい実施形態を説明したが、本発明はこの実施形態に限定されず、本発明の趣旨を離脱しない限り、本発明に対するあらゆる変更は本発明の技術的範囲に属する。
【図１】
2015065655.tif 000030
【図２】
2015065655.tif 000031
【図３】
2015065655.tif 000032
【図４Ａ】
2015065655.tif 000033
【図４Ｂ】
2015065655.tif 000034
【図５】
2015065655.tif 000035
【図６】
2015065655.tif 000036
【図７】
2015065655.tif 000037